(57)【要約】      （修正有）【課題】位置調節可能な自転車用前ディレイラ取り付け装置を提供する。【解決手段】自転車にディレイラを取り付けるための装置１０にて、前側のディレイラ１００を座席チューブ２００に溶接された支持具３００に取り付けるための装置において、ディレイラ１００の位置を座席チューブ２００の長手軸と実質的に直交する少なくとも１つの軸に沿って調節するための手段を有している。前記装置１０は、ディレイラ１００の位置を、自転車のボトム・ブラケットに組み合わされた歯付きクラウンの配置面と実質的に平行な平面に位置する軸Ｙに沿って調節し、好ましくは、さらに前記ボトム・ブラケットに組み合わされた歯付きクラウンの配置面と実質的に直交する軸Ｚに沿って調節するための手段を有している。これにより、ディレイラ１００を自転車の歯付きクラウンに対してより良好に位置させることができ、変速の際のディレイラ１００の動作をより良好なものにできる。【選択図】図３
2005247302.tif 000002
【特許請求の範囲】
【請求項１】
ディレイラ（１００）の位置を自転車の座席チューブ（２００）の長手軸と実質的に直交する少なくとも１つの軸に沿って調節するための第１の手段を有していることを特徴とするディレイラ（１００）を自転車に取り付けるための装置（１０）。
【請求項２】
請求項１において、ディレイラ（１００）の位置を調節するための前記第１の手段が、
ディレイラ（１００）の位置を、自転車のボトム・ブラケットに組み合わされた歯付きクラウンの配置面と実質的に平行な平面に位置する軸Ｙに沿って調節するための手段
を有している装置（１０）。
【請求項３】
請求項１または２において、ディレイラ（１００）の位置を調節するための前記第１の手段が、ディレイラ（１００）の位置を、自転車のボトム・ブラケットに組み合わされた歯付きクラウンの配置面と実質的に直交する軸Ｚに沿って調節するための手段
を有している装置（１０）。
【請求項４】
請求項１から３までの何れか一項において、ディレイラ（１００）の位置を前記座席チューブ（２００）の長手軸と実質的に平行な軸Ｘに沿って調節するための第２の手段をさらに有している装置（１０）。
【請求項５】
請求項２から４までの何れか一項において、ディレイラ（１００）の位置を前記軸Ｙに沿って調整するための前記手段が、
前記軸Ｙに沿って延びるとともに、前記座席チューブ（２００）に一体に組み合わされた支持具（３００）に一体に組み合わされるよう構成されたピン（１２）、
前記ピン（１２）に前記軸Ｙに沿ってスライド可能に組み合わされるよう構成されたディレイラ支持部材（１１）、および
前記ディレイラ支持部材（１１）を前記ピン（１２）に締め付ける第１の締め付け手段
を備えている装置（１０）。
【請求項６】
請求項５において、前記ディレイラ支持部材（１１）が、ディレイラを動かすための関節型四辺形部材（１１０）のコネクティングロッド（１１１）と一体に形成されている装置（１０）。
【請求項７】
請求項５において、前記ディレイラ支持部材（１１）が、ディレイラを動かすための関節型四辺形部材（１１０）のコネクティングロッド（１１１）と一体に組み合わされるように構成されている装置（１０）。
【請求項８】
請求項５から７までの何れか一項において、
前記ディレイラ支持部材（１１）が、前記ピン（１２）を通過させるための第１の開口（１９）が設けられている第１の側面（１８）、および前記第１の側面（１８）と実質的に直交するとともに第２の開口（２１）が設けられている第２の側面（２０）を有しており、
前記ディレイラ支持部材（１１）を前記ピン（１２）に締め付けるための前記第１の締め付け手段が、
第１の方向に沿って延び、前記ピン（１２）のための締め付け面（２７）を画定する第１の貫通孔（２５）、および前記第１の方向に直交する第２の方向に沿って延びる第１のねじ孔（２６）が設けられてなる歯止め（２４）、
前記ディレイラ支持部材（１１）の前記第２の開口（２１）を通って前記歯止め（２４）の前記第１のねじ孔（２６）に係合して、前記歯止め（２４）を前記ディレイラ支持部材（１１）に締め付けるように構成されたねじ部材（２２）、および
前記ねじ部材（２２）が前記歯止め（２４）の前記第１のねじ孔（２６）に係合した時に、前記ピン（１２）と前記ディレイラ支持部材（１１）との間に作用して、前記ピン（１２）を前記締め付け面（２７）に押し付けるための押し付け手段を有している装置（１０）。
【請求項９】
請求項８において、前記ねじ部材（２２）が前記歯止め（２４）の前記第１のねじ孔（２６）に係合した時に、前記押し付け手段が、前記第１のねじ孔（２６）において前記歯止め（２４）に嵌まり込むように構成されており、かつ、前記ピン（１２）を前記締め付け面（２７）に押すようにした一対の押し付け面（２９）が設けられているカラー（２８）を有している装置（１０）。
【請求項１０】
請求項９において、前記押し付け面（２９）が実質的に平坦である装置（１０）。
【請求項１１】
請求項９または１０において、前記カラー（２８）は、前記一対の押し付け面（２９）と反対側に、刻みが設けられた表面（３０）を有している装置（１０）。
【請求項１２】
請求項５から１１までの何れか一項において、前記ピン（１２）が、刻みが設けられた側面を有している装置（１０）。
【請求項１３】
請求項１２において、前記側面に長手方向に刻みが設けられている装置（１０）。
【請求項１４】
請求項５から１３までの何れか一項において、前記ピン（１２）が、実質的に平坦な
側面部分（１２ａ）を有している装置（１０）。
【請求項１５】
請求項８から１４までの何れか一項において、前記第１の開口（１９）が、前記軸Ｙおよび前記座席チューブ（２００）の長手軸に実質的に直交する方向に沿って延びている長孔である装置（１０）。
【請求項１６】
請求項８から１４までの何れか一項において、前記第１の開口（１９）が、前記ピン（１２）の直径と実質的に同じ直径を有する円形孔である装置（１０）。
【請求項１７】
請求項８から１６までの何れか一項において、前記第２の開口（２１）が、前記軸Ｙおよび前記座席チューブ（２００）の長手軸に実質的に直交する方向に沿って延びている長孔である装置（１０）。
【請求項１８】
請求項８から１６までの何れか一項において、前記第２の開口（２１）が、前記ねじ部材（２２）の直径と実質的に同じ直径を有する円形孔である装置（１０）。
【請求項１９】
請求項５から１８までの何れか一項において、前記ピン（１２）の直径よりも大きい直径を有する頭部（３３）が設けられているねじ（３２）を有し、前記ピン（１２）が、前記ねじ（３２）と係合するよう構成された頭部のねじ孔（３１）を有している装置（１０）。
【請求項２０】
請求項５から１９までの何れか一項において、前記ピン（１２）が、前記支持具（３００）の表面と一致する形状の円筒面を有する相互接続部材（１３）に一体に組み合わされており、前記相互接続部材（１３）が、前記座席チューブ（２００）の長手軸に実質的に平行な方向に沿って位置を調節できる第２の締め付け手段を介して、前記支持具（３００）に一体に組み合わされるよう構成されている装置（１０）。
【請求項２１】
請求項２０において、前記第２の締め付け手段が、前記ピン（１２）と反対側で前記相互接続部材（１３）に一体に組み合わされているねじ（１４）を有し、
前記ねじ（１４）が、前記支持具（３００）に形成され、前記座席チューブ（２００）の長手軸と平行に延びている長孔（３０１）を通過して、ナット（１５）に係合するよう構成されている装置（１０）。
【請求項２２】
フォーク（１１２）、
前記フォーク（１１２）を動かすための関節型四辺形運動機構（１１０）、および
前記関節型四辺形運動機構（１１０）を自転車に取り付けるための装置を有しており、
前記取り付けるための装置が、請求項１から２１までの何れか一項における装置（１０）であることを特徴とする自転車用変速機のためのディレイラ（１００）。
【請求項２３】
請求項２２において、前記取り付けるための装置（１０）が、自転車の座席チューブ（２００）に一体に組み合わされた支持具（３００）に組み合わされるように構成された前記関節型四辺形運動機構（１１０）のための支持部材（１１）を有し、
前記関節型四辺形運動機構（１１０）のための支持部材（１１）が、前記関節型四辺形運動機構（１１０）のコネクティングロッド（１１１）と一体に形成されているディレイラ。
【請求項２４】
請求項２２において、前記取り付けるための装置（１０）が、自転車の座席チューブ（２００）に一体に組み合わされた支持具（３００）に組み合わされるように構成された前記関節型四辺形運動機構（１１０）のための支持部材（１１）を有し、
前記関節型四辺形運動機構（１１０）のための支持部材（１１）を、前記関節型四辺形運動機構（１１０）のコネクティングロッド（１１１）に一体に組み合わせることが可能であるディレイラ。
【発明の詳細な説明】
【技術分野】
【０００１】
本発明は、ディレイラを自転車に取り付けるための装置に関する。さらに具体的には、本発明は、フレーム上におけるディレイラの位置を調節できるように、ディレイラを自転車のフレームに取り付けるための装置に関する。さらに、本発明は、そのような取り付け装置を備えたディレイラに関する。
【０００２】
本明細書および特許請求の範囲の記載において、ディレイラとは、自転車の前側の変速機のためのディレイラであり、より簡単に言えば、前側ディレイラ（ｆｒｏｎｔ  ｄｅｒａｉｌｌｅｕｒ）として知られている。
【背景技術】
【０００３】
公知のとおり、前側ディレイラは、自転車において変速を実行するために使用され、すなわち、走行中にチェーンを、自転車のペダル・クランクおよびボトム・ブラケットに組み合わされた異なる直径を有する異なる歯付きクラウン間で移動させるために使用される。
【０００４】
さらに詳しくは、ディレイラは、自転車のフレームおよびチェーン案内フォークに一体に取り付けられるようにされた関節型四辺形運動機構（ａｒｔｉｃｕｌａｔｅｄ
ｑｕａｄｒｉｌａｔｅｒａｌ  ｋｉｎｅｍａｔｉｓｍ）を有しており、この関節型四辺形部材の変形が、歯付きクラウン間をまたがるフォークの移動、すなわち変速を生じさせる。
【０００５】
前記関節型四辺形部材の変形は、制御レバーの動きをボーデン・ケーブルによって関節型四辺形部材に伝えることによって手動で達成することができ、あるいは、自転車乗りによって与えられる適切な指令に従う電動モータによって、適切な運動機構を介して達成することができる。さらに詳しくは、ケーブルまたはモータが駆動アームに作用し、関節型四辺形部材のコネクティングロッドの展張（ｅｘｔｅｎｓｉｏｎ）を生じさせる。
【０００６】
ボーデン・ケーブルを介して駆動される前側ディレイラの例は、本出願人が出願した特許文献１に見つけることができ、一方、電動モータによって駆動される前側ディレイラの例は、本出願人が出願した特許文献２に見つけることができる。
【特許文献１】米国特許出願公開公報第２００２／００３４９９６号
【特許文献２】米国特許出願公開公報第２００３／００２７６７４号
【０００７】
通常は、前側ディレイラは、自転車の座席チューブ、すなわち自転車のボトム・ブラケットをサドルに接続している筒状部材に取り付けられている。ディレイラの座席チューブへの取り付けは、一般的には、２つの公知の技法に従って実施されている。
【０００８】
公知の第１の技法によれば、前記特許出願において例として示されているとおり、ディレイラそのものに取り付けられるとともに適切なねじによって座席チューブの周囲に締め付けられるよう構成された金属製の締め具によって、ディレイラは座席チューブに固定されている。組み立て工程において、ディレイラがボトム・ブラケットに組み合わされている歯付きクラウンの上方の最適と考えられる位置に至るまで、この締め具が座席チューブ上を長手方向に動かされ、次いで、ディレイラを前記歯付きクラウンの上方の所望の位置に保つよう、座席チューブの周囲に締め付けられる。
【０００９】
公知の第２の技法によれば、本明細書に添付の図１および２に例として示されているとおり、ディレイラが、座席チューブに溶接された適切な支持具Ｓに固定されており、この支持具Ｓはろう付け金具（ｂｒａｚｅ−ｏｎ  ａｔｔａｃｈｍｅｎｔ）として広く知られている。このような支持具Ｓは、基本的には、凸状の円筒面を有し座席チューブの軸の方向に沿って長手方向に延びた長孔Ａが設けられている金属製の部材からなる。このような支持具Ｓにディレイラを取り付けることができるよう、ディレイラには、支持具Ｓの形状に一致する実質的に円筒形状の接続部材Ｐが設けられている。接続部材Ｐは、接続部材Ｐに一体に組み合わされたねじであって、支持具Ｓの長孔Ａを通過して適当な係止ナットＤと係合するよう構成されたねじによって、支持具Ｓに固定される。ディレイラを自転車の座席チューブに組み付ける工程においては、まず接続部材Ｐを、ねじが支持具Ｓの長孔Ａに挿入された状態で支持具Ｓに当接させる。次いで、ディレイラがボトム・ブラケットに組み合わされた歯付きクラウンの上方の最適と考えられる位置に至るまで、接続部材Ｐを支持具Ｓ上で座席チューブの長手軸と平行に動かす。最後に、係止ナットＤをねじにねじ込むことにより、接続部材Ｐが支持具Ｓに固定される。
【００１０】
本出願人は、ディレイラを自転車の座席チューブに取り付ける後者の技法に関し、いくつかの欠点があることに気がついた。
【００１１】
第１の欠点は、従来使用されているろう付け金具が、標準品ではないという点に関係する。特に、座席チューブに対するそれらの位置ならびにそれらの形状が、座席チューブそのものの寸法および／または形状が変わるとともに変化しうる。これは、歯付きクラウンの上方の最適と考えられる位置にディレイラを位置させることができず、結果として変速時のディレイラの動作が不適切になるということを意味する。
【００１２】
この件が、添付の図１および２に例として示されている。これらの図において、図１
（Ａ）は、第１の形式のろう付け金具Ｓに取り付けられた従来技術のディレイラの正面図であり、図１（Ｂ）は、そのような第１の形式のろう付け金具Ｓを詳細に示しており、長孔Ａが、座席チューブの長手軸に対して偏心（Ａｍｉｎ、Ｂｍｉｎ）して位置している。図２（Ａ）は、図１（Ａ）および１（Ｂ）に示したものと異なる形状および寸法を有する第２の形式のろう付け金具Ｓおよび座席チューブに取り付けられた従来技術のディレイラの正面図であり、図２（Ｂ）は、そのような第２の形式のろう付け金具Ｓを詳細に示しており、長孔Ａが、座席チューブの長手軸に対して偏心（Ａｍａｘ、Ｂｍａｘ）して位置している。
【００１３】
図１および２は、異なる形状のろう付け金具を使用すること、および／または座席チューブ上におけるろう付け金具の配置が相違することによって、どのように歯付きクラウンの上方におけるディレイラのフォークＦの位置決めが異なってくるのかを示している。詳細には、図１および２が、２つの異なる取り付け配置を示しており、大径の歯付きクラウンの周縁に対するフォークＦの下部形状の距離が、フォークの先頭部Ｔと尾部Ｃとの間で一定（本来は、これが望ましい）ではなく、図１の構成においては最大値Ｄから最小値ｄまで変化しており、図２の構成においては最小値ｄから最大値Ｄまで変化している。このようなフォークＦの下部形状に沿った間隔の変化が、変速の際に最適でないディレイラの動作を引き起こし、それに対応して、フォークＦの先頭部Ｔと尾部Ｃとの間において、チェーンによってフォークＦに加わる力の分布を不均一にする。
【００１４】
ディレイラをろう付け金具を介して自転車の座席チューブに取り付ける技法に関し、第２の欠点は、変速時すなわち関節型四辺形部材の変形の際にディレイラに加わる力が、すべて最終的にろう付け金具に伝えられ、長期使用においてろう付け金具に変形や場合によっては破損を引き起こしかねず、ディレイラの動作を損ないかねないという点に関係する。
【発明の開示】
【発明が解決しようとする課題】
【００１５】
そこで、本出願人は、、従来のろう付け金具、すなわち形状および自転車の座席チューブ上における位置がさまざまであるろう付け金具を使用する場合でも、ディレイラを自転車のボトム・ブラケットに組み合わされた歯付きクラウンの上方に常に最適に位置決めすることができ、したがって前記従来技術に関する欠点を克服できる、ディレイラを自転車に取り付けるための技法を検討し、設計した。
【００１６】
さらに、本件出願人は、変速すなわち関節型四辺形部材の変形の際にディレイラに加わる力のすべてが、専らろう付け金具にのみ加わるという事実を回避し、ろう付け金具の構造上および機能上の完全性を守るための方法を見出した。
【課題を解決するための手段】
【００１７】
したがって、本発明は、その第１の側面において、ディレイラの位置を自転車の座席チューブの長手軸と実質的に直交する少なくとも１つの軸に沿って調節するための第１の手段を有していることを特徴とするディレイラを自転車に取り付けるための装置に関する。
【００１８】
したがって、本発明の装置によれば、ディレイラを自転車に取り付けることができると同時に、自転車の座席チューブの長手軸と直交する平面内においてディレイラの位置を調節することができ、これにより、自転車のボトム・ブラケットに組み合わされている歯付きクラウンの上方でディレイラをより良好に位置決めし、変速時のディレイラの動作をより良好なものとすることができ好都合である。
【００１９】
本発明の装置の第１の実施の形態においては、ディレイラの位置を調節するための前記第１の手段が、ディレイラの位置を、自転車のボトム・ブラケットに組み合わされた歯付きクラウンの配置面と実質的に平行な平面に位置する軸であって、座席チューブの長手軸と実質的に直交する軸Ｙに沿って調節するための手段を有している。このような実施の形態においては、ディレイラを、フォークの下部形状から歯付きクラウンの周縁までの距離がフォークの先端部と尾部との間で実質的に一定になるように、自転車のボトム・ブラケットに組み合わされた歯付きクラウンの上方に位置させることができ、好都合である。実際、このような配置構成は、ディレイラの正確な動作のために最適であると考えられ、変速時にチェーンから加わる力を、フォークの全体形状にわたって均一に分布させることができる。
【００２０】
本発明の装置の第２の実施の形態においては、ディレイラの位置を調節するための前記第１の手段が、ディレイラの位置を、自転車のボトム・ブラケットに組み合わされた歯付きクラウンの配置面と実質的に直交する軸Ｚに沿って調節するための手段を有している。このような実施の形態においては、ディレイラを自転車の座席チューブに向かって、この座席チューブに当接するまで変位させることができ好都合である。このような配置構成は、関節型四辺形部材の変形によって生じた力の一部を座席チューブへと直接伝えることができ、そのような力をろう付け金具へと伝えないようにできるため、好都合であると考えられる。
【００２１】
本発明の装置の特に好ましい実施の形態においては、本発明の装置が、本発明の前記２つの実施の形態に関して明らかにされた利点のすべてを実現し、先行技術に関して前述した欠点のすべてを克服するため、ディレイラの位置を軸Ｙに沿って調節するための前記手段、およびディレイラの位置を軸Ｚに沿って調節するための前記手段の両者を有している。
【００２２】
さらに、本発明の装置は、その好ましい実施の形態において、ディレイラの位置を座席チューブの長手軸と実質的に平行な軸Ｘに沿って調節するための第２の手段を有している。基本的に、本発明の装置は、その好ましい実施の形態において、ディレイラを３つの自由度（従来技術の取り付け装置よりも２つ多い）で自転車に取り付けることができ、このため、自転車のボトム・ブラケットに組み合わされている歯付きクラウンの上方でディレイラの位置を最適に調節することができる。
【００２３】
好ましくは、ディレイラの位置を軸Ｙに沿って調整するための手段が、
軸Ｙに沿って延びるとともに、座席チューブに一体に組み合わされた支持具に一体に組み合わされるよう構成されたピン、
軸Ｙに沿って、前記ピンにスライド可能に組み合わされるよう構成されたディレイラ支持部材、および
前記ディレイラ支持部材を前記ピンに締め付ける第１の締め付け手段
を有している。
【００２４】
このように、ピンとディレイラ支持部材との間にスライド結合を設けることによって、軸Ｙに沿ったディレイラの位置の調節が、構造的に簡潔かつ機能的に有利なやり方で実現される。ひとたび最適と考えられる位置まで軸Ｙに沿って動かされると、ディレイラは、適切な締め付け手段によってディレイラ支持部材をスライド・ピンに締め付けることによって、その位置に固定される。
【００２５】
本発明の装置の第１の実施の形態においては、ディレイラ支持部材が、ディレイラのフォークを動かすための関節型四辺形部材のコネクティングロッドと一体に形成されている。しかしながら、前記ディレイラ支持部材を前記コネクティングロッドから構造的に独立した物体として、通常の取り付け手段によって前記コネクティングロッドに一体に組み合わせるように構成した本発明の装置の別の実施の形態も考えられる。
【００２６】
本明細書および特許請求の範囲の記載において、用語「コネクティングロッド」は、ピンによって接続された他の部材に運動を伝達し、かつ／またはピンによって接続された他の部材から運動を受け取るために適した剛体部材を広く意味している。
【００２７】
好ましくは、ディレイラ支持部材が、前記ピンを通過させるための第１の開口が設けられている第１の側面、および前記第１の側面と実質的に直交するとともに第２の開口が設けられている第２の側面を有しており、ディレイラ支持部材をピンに締め付けるための前記第１の手段が、
第１の方向に沿って延び、ピンのための締め付け面を画定する第１の貫通孔と、前記第１の方向に直交する第２の方向に沿って延びる第１のねじ孔とが設けられている歯止め
（ｐａｗｌ）、
ディレイラ支持部材の前記第２の開口を通って歯止めの前記第１のねじ孔に係合して、歯止めをディレイラ支持部材に締め付けるように構成されたねじ部材、および
ねじ部材が歯止めの前記第１のねじ孔に係合した時に、ピンとディレイラ支持部材との間に作用して、ピンを前記締め付け面に押し付けるための押し付け手段
を有している。
【００２８】
したがって、軸Ｙに沿ったピンとディレイラ支持部材との間の相対的なスライドが、ピンをディレイラ支持部材の前記第１の開口内および歯止めの貫通孔内でスライドさせることによって達成される一方で、軸Ｙに沿った所望の位置におけるディレイラ支持部材のピンへの締め付けが、ピンを歯止め内に画定されている締め付け面に押し付けることによって達成される。
【００２９】
好ましくは、ねじ部材が歯止めの前記第１のねじ孔に係合した時に、前記押し付け手段が、前記第１のねじ孔において歯止めを覆って嵌まり込むように構成されているカラー
（ｃｏｌｌａｒ）を有しており、前記カラーに、ピンを前記締め付け面に押すように構成された一対の押し付け面が設けられている。
【００３０】
好ましくは、前記押し付け面が実質的に平坦である。さらに好ましくは、ディレイラ支持部材をピンに締め付ける際および運転中に、ピンとディレイラ支持部材との間にいかなる相対回転も生じないよう、ピンは、カラーの前記実質的に平坦な押し付け面と当接して協働するように構成された実質的に平坦な部分を側面に有している。実際、そのような回転が生じると、歯付きクラウンの上方におけるディレイラの最適な位置決めが損なわれ、結果としてディレイラの正確な動作が損なわれる。
【００３１】
ピンの表面と歯止め内に設けられた締め付け面との間により良好な相互の係合を確保し、もって締め付け作業時および運転中にディレイラが不都合にも軸Ｙに沿って最適位置から変位することがないようにするため、ピンの側面に刻みが設けられるのが好ましい。さらに好ましくは、ピンと歯止め内に設けられた締め付け面との間の相互の係合における前記の特徴に加え、軸Ｙに沿ってディレイラ位置を精密に調節できるようにすべく、軸Ｙに沿った連続的かつ一様なスライドという特徴をも確保するため、ピンの側面に長手方向に刻みが設けられている。
【００３２】
本発明の装置の好ましい実施の形態においては、前記軸Ｙのほかに、さらに前記軸Ｚに沿ってもディレイラの位置を調節できるよう、前記第１の開口および前記第２の開口の両者が、軸Ｙおよび座席チューブの長手軸に実質的に直交する方向に沿って延びる長孔をそれぞれ有している。しかしながら、好ましさは劣るが依然興味深く考えられる実施の形態として、前記第１および第２の開口の一方または両者がピンおよび／または前記固定部材の直径と同じ直径の丸孔を有する実施の形態も考えられる。このような好ましさの劣る実施の形態においても、依然として前記軸Ｙに沿ったディレイラの位置調節が実行可能であるが、前記軸Ｚに沿ってディレイラの位置を調節できる可能性は失われる。
【００３３】
好ましくは、前記軸Ｚに沿ってディレイラの位置を調節できる場合には、ディレイラ支持部材をピンに締め付ける際および運転中に、ディレイラが最適な位置から軸Ｚに沿って不都合にも変位することがないよう、ディレイラ支持部材をピンに締め付ける際にディレイラ支持部材との摩擦を大きくするため、カラーは刻みが設けられた表面を前記一対の押し付け面の反対側に有している。
【００３４】
好ましくは、本発明の装置は、ピンの直径よりも大きい直径を有する頭部が設けられているねじを有しており、ピンが、前記ねじと係合するよう構成された頭部を備えるねじ孔を有している。このようなねじを使用することによって、本発明の取り付け装置の組み立て作業時、および／または軸Ｙおよび／またはＺに沿ったディレイラ位置の調節作業時に、歯止めおよびカラーからなるグループがピンから離れることが防止され、好都合である。
【００３５】
本発明の装置の好ましい実施の形態においては、ピンが、前記支持具の表面と一致する形状の円筒面を有する相互接続部材に一体に組み合わされており、相互接続部材が、前記座席チューブの長手軸に実質的に平行な方向に沿って位置を調節できる第２の締め付け手段を介して、前記支持具に一体に組み合わされるよう構成されている。このような実施の形態においては、本発明の装置によって、軸Ｙおよび／または軸Ｚに沿ったディレイラの位置の調節に加え、座席チューブの長手方向に沿ったディレイラ位置の調節も可能であり、ディレイラを、自転車に組み合わされたボトム・ブラケットの歯付きクラウンの上方において最適な空間位置に位置させることができ、好都合である。
【００３６】
好ましくは、前記第２の締め付け手段が、ピンと反対側で相互接続部材に一体に組み合わされているねじを有し、前記ねじが、前記支持具に形成され座席チューブの長手軸と平行に延びている長孔を通過して、ナットに係合するよう構成されている。
【００３７】
本発明は、その第２の態様において、
フォーク、
フォークを動かすための関節型四辺形運動機構、および
関節型四辺形運動機構を自転車に取り付けるための装置を有しており、
前記取り付け装置が、本発明による取り付け装置であることを特徴とする自転車用変速機のためのディレイラに関する。
【００３８】
そのようなディレイラは、本発明の取り付け装置に関連して前記説明した利点のすべてを、実現可能にしている。
【００３９】
好ましくは、前記取り付け装置は、自転車の座席チューブに一体に組み合わされた支持具に組み合わされるように構成された関節型四辺形運動機構の支持部材を有し、前記関節型四辺形運動機構の支持部材が、関節型四辺形運動機構のコネクティングロッドと一体に形成されている。
【００４０】
他の実施の形態においては、関節型四辺形運動機構の支持部材が、関節型四辺形部材の前記コネクティングロッドから構造的に独立した物体であり、関節型四辺形部材の前記コネクティングロッドに一体に組み合わせることが可能である。
【００４１】
本発明のさらなる特徴および利点は、添付の図面を参照しつつ行なう本発明のいくつかの好ましい実施の形態に関する以下の詳細な説明から、さらに明らかになるであろう。
【発明を実施するための最良の形態】
【００４２】
これらの図において、本発明によるディレイラは、その全体が参照番号１００で示されている。詳細には、ディレイラ１００は、自転車の前側変速機のためのディレイラである。
【００４３】
これらの図のすべてにおいて、構造的または機能的に等価である要素は、同じ参照番号で示されている。
【００４４】
特に図３および４に示した実施の形態を参照すると、本発明のディレイラ１００が、ボーデン・ケーブルまたは電動モータによる指令を受けて、自転車のボトム・ブラケットの歯付きクラウンの１つから異なる直径を有する別の歯付きクラウンへと、完全に従来のやり方でチェーンを動かすように構成された関節型四辺形運動機構１１０を有している。関節型四辺形運動機構は４つのコネクティングロッドを有しており、すなわち、自転車のフレームに一体的に取り付けられるよう構成された第１のコネクティングロッド１１１、関節型四辺形部材１１０において第１のコネクティングロッド１１１に対向するとともに、自転車のボトム・ブラケットに組み合わされた歯付きクラウンの上方でチェーンを案内するためのフォークを特に有している第２のコネクティングロッド１１２、第１のコネクティングロッド１１１を第２のコネクティングロッド１１２に接続している第３のコネクティングロッド１１３、および、図を分かりやすくするため示されていないが、第３のコネクティングロッド１１３に対向するとともにやはり第１のコネクティングロッド１１１を第２のコネクティングロッド１１２に接続している第４のコネクティングロッドを有している。
【００４５】
ディレイラ１００は、本発明による取り付け装置１０を介して自転車の座席チューブ２００に組み合わされるよう構成されている。詳細には、取り付け装置１０が、自転車の座席チューブ２００に一体に組み合わされた従来からの支持具３００に、ディレイラを組み合わせるよう構成されている。通常は、支持具３００は、座席チューブ２００に溶接されており、ろう付け金具という呼び名で広く知られている。支持具３００は、凸状の円筒状表面を有する金属製の部材からなり、座席チューブ２００の長手軸の方向に沿って延びる長孔３０１が設けられている。このような長孔３０１によって、ディレイラの位置を、座席チューブ２００の長手軸と実質的に平行な軸Ｘに沿って調節することができる。
【００４６】
詳細には、取り付け装置１０は、座席チューブ２００の長手軸に実質的に直交する平面Ｙ‐Ｚにおいてディレイラ１００の位置を調節することができるよう、支持具３００に一体に組み合わされるように構成されたディレイラ支持部材１１を有している。詳しくは、ディレイラ支持部材１１は、自転車のボトム・ブラケットに組み合わされた歯付きクラウン４００（図５および７に示されている）の配置面に実質的に平行な平面上に位置する軸Ｙに沿って（すなわち、座席チューブ２００の軸Ｘおよび歯付きクラウン４００の回転軸に実質的に直交する軸に沿って）ディレイラ１００の位置を調節することができ、さらに歯付きクラウン４００の配置面に実質的に直交する軸Ｚに沿って（すなわち、座席チューブ２００の軸Ｘに実質的に直交し、かつ歯付きクラウン４００の回転軸に実質的に平行である軸に沿って）ディレイラ１００の位置を調節することができるよう、支持具３００に一体に組み合わされるように構成されている。
【００４７】
図３〜８および図１０に示した実施の形態においては、ディレイラ支持部材１１が、関節型四辺形部材１１０のコネクティングロッド１１１と一体に形成（特には、同時に成形）されている。しかしながら、図９に示されているように、ディレイラ支持部材１１がコネクティングロッド１１１から構造的に独立した物体として形成され、通常の取り付け手段によって前記コネクティングロッド１１１に一体に組み合わされるように構成されている他の実施の形態も考えられる。
【００４８】
このようにして、軸Ｘ、ＹおよびＺに沿ったディレイラの位置の調節を、ディレイラ支持部材１１の位置の調節によってもたらすことができる。
【００４９】
この目的のため、ディレイラ支持部材１１は、相互接続部材１３に一体に組み合わされたピン１２にスライド可能に組み合わされており、次に相互接続部材１３が、ピン１２と反対側に、好ましくはピン１２の長手軸に従って延びるねじ１４を有している。相互接続部材１３は、ねじ１４の側に、支持具３００の凸面と一致し、支持具３００の凸面に当接して機能するよう構成された凹状の円筒面を有している。本発明の装置の組み立て後の構成において、ねじ１４およびピン１２は軸Ｙに沿って延びている。
【００５０】
ピン１２は、好ましくは、実質的に平坦な側面１２ａを有する一方で、残りの側面には長手方向に刻みが設けられている（ｋｎｕｒｌｅｄ）。
【００５１】
ねじ１４は、相互接続部材１３を支持具３００に取りつけることができるよう、支持具３００の長孔３０１を通ってナット１５に係合するように構成されている。長孔３０１とねじ１４との間の結合は、支持具３００上における部材１３の位置を、座席チューブの長手軸と平行な軸Ｘに沿って調整できるようにされている。第１の平ワッシャ１６、ならびに平ワッシャ１６との結合のための平坦面を有し他面に支持具３００の表面との結合のための凸状の円筒面を有している第２の成形ワッシャ１７が、ナット１５と支持具３００の間に配置されている。
【００５２】
ディレイラ支持部材１１は、ピン１２を通過させるため好ましくは長孔で構成された第１の開口１９が設けられてなる第１の側面１８、および第１の側面１８と実質的に直交するとともに、ねじ２２を通過させるためやはり好ましくは長孔で構成された第２の開口２１が設けられてなる第２の側面２０を有している。開口２１において、表面２０とねじ２２との間にはワッシャ２３が設けられている。本発明の装置の組み立て後の構成において、長孔１９および２１は、前記軸Ｚに沿って延びている。
【００５３】
さらに、本発明の装置１０は、第１の方向に沿って延びる貫通孔２５と前記第１の方向に直交する第２の方向に沿って延びるねじ孔２６とが設けられてなる歯止め２４を備えている。本発明の装置の組み立て後の構成において、貫通孔２５が前記軸Ｙに沿って延びるとともにピン１２をスライド可能に収容し、一方、ねじ孔２６は、歯止め２４をディレイラ支持部材１１に締め付けるため、座席チューブの長手軸と平行に延びてねじ２２と係合する。歯止め２４の貫通孔２５は、歯止め２４内にピン２２を締め付けるための表面２７を画定している。
【００５４】
カラー２８が、歯止め２４とディレイラ支持部材１１との間に、作用可能に配置されている。詳細には、カラー２８は、ねじ孔２６において歯止め２４に嵌め合わされるとともに、ピン１２が歯止め２４の貫通孔２５に挿入され、さらに歯止め２４のねじ孔２６にねじ２２を係合させることによって歯止め２４をディレイラ支持部材１１に締め付けたときに、ピン１２の平坦面１２ａに対して押し付け作用を加えるように構成された一対の実質的に平坦な表面２９を画定する切り落としを歯止め２４の側に有している。
【００５５】
カラー２８は、前記一対の平坦面２９の反対側に、刻みが付けられた表面３０（
ｋｎｕｒｌｅｄ  ｓｕｒｆａｃｅ）を有している。
【００５６】
ピン１２は、本発明の装置１０の組み立て後の構成において、歯止め２４およびカラー２８からなるグループがピン１２から離れることがないよう、直径がピン１２の直径よりも大きい頭部３３を有するねじ３２と係合するよう構成された頭部のねじ孔３１を有している。
【００５７】
組み立て後の構成において、ディレイラ１００および本発明の取り付け装置１０は、図４に示す通りとなる。この構成において、相互接続部材１３が支持具３００に当接し、ねじ１４とナット１５との間の締め付け結合によってその位置に保たれる。ピン１２は、ディレイラ支持部材１１の長孔１９および歯止め２４の貫通孔２５に挿入されている。カラー２８が、歯止め２４に嵌まり込み、ピン１２の平坦面１２ａ上に位置している。ねじ２２が、ディレイラ支持部材１１の長孔２１に挿入され、カラー２８を介して歯止め２４のねじ孔２６に係合している。最後に、ねじ３２が、ピン１２の頭部のねじ孔３１に係合している。
【００５８】
好ましさは劣るが、開口１９および２１の少なくとも一方または両者が、前記のとおり長孔を有する代わりにピン１２および／またはねじ２２の直径と実質的に同じ直径の円形孔を有している本発明の装置１０の実施の形態を考えることができる。そのような実施の形態の１つが、図１０に示されており、開口２１が、ねじ２２の直径と実質的に同じ直径の円形孔から構成されて示されている。このような好ましさの劣る実施の形態においても、依然として、前記軸Ｙに沿ったディレイラの位置調節が実行可能であるが、前記軸Ｚに沿ってディレイラの位置を調節できる可能性は失われる。
【００５９】
ディレイラ１００の自転車への組み付けを実施するため、ピン１２を長孔１９に挿入することによってディレイラ支持部材１１を相互接続部材１３に当接させる。次いで、ねじ１４を長孔３０１に挿入することによって、相互接続部材１３を座席チューブ２００の支持具３００に当接させ、ナット１５をねじ１４にねじ込むことによって支持具３００上の最適な高さに固定する。このようにして、座席チューブ２００の長手軸と平行な軸Ｘに沿って、ディレイラの位置の調節を実行することができる。
【００６０】
このような調節の後、軸ＹおよびＺに沿った調節が実行される。この目的のため、ねじ２２を歯止め２４のねじ孔２６に仮にねじ込んだ状態（ｐｒｅ−ｓｃｒｅｗｉｎｇ
ｃｏｎｄｉｔｉｏｎ）に保ちつつ、ディレイラ支持部材１１を軸ＹおよびＺに沿って変位させる。
【００６１】
軸Ｙに沿ったディレイラの位置の調節は、ディレイラ支持部材１１をピン１２上で方向Ｙに沿ってスライドさせることによって実行される。一方、軸Ｚに沿ったディレイラの位置の調節は、ディレイラ支持部材１１をピン１２上で方向Ｚに沿って、歯止め２４、カラー２８、ねじ２２およびワッシャ２３と一体にスライドさせることによって実行される。詳細には、ピン１２が、ディレイラ支持部材１１の第１の長孔１９内を方向Ｚに沿ってスライドする一方で、ねじ２２がディレイラ支持部材１１の第２の長孔２１内を方向Ｚに沿ってスライドする。ひとたび所望の位置に到達すると、ねじ２２が歯止め２４のねじ孔２６に最終的に締め込まれ、ディレイラ支持部材１１をピン１２上の位置に固定し、したがってディレイラ１００を、自転車のボトム・ブラケットに組み合わされた歯付きクラウンの上方の所定の位置に固定する。
【００６２】
図５および６は、図１（Ａ）および１（Ｂ）に示して既に説明したろう付け金具Ｓと同一である第１の形式の支持具３００にディレイラ１００を取り付けるための本発明の装置１０の使用を示している。図７および８は、図２（Ａ）および（Ｂ）に示して既に説明したろう付け金具Ｓおよび座席チューブと同一である第２の形式の支持具３００および座席チューブ２００にディレイラ１００を取り付けるための本発明の装置１０の使用を示している。これらの図から、軸Ｙに沿ってディレイラの位置を調節できる可能性があるおかげで、使用されているろう付け金具の形式および／または自転車の座席チューブの寸法にかかわらず、歯付きクラウン４００の上方におけるフォークの最適な位置決めが実現でき、すなわち、フォークＦの下部形状と歯付きクラウン４００の周縁との間の間隔がフォークの先頭部Ｔと尾部Ｃとの間において常に一定であるような配置が実現できるのかを、すぐに確認および理解することができるであろう。また、これらの図から、軸Ｚに沿ってディレイラの位置を調節できる可能性があるおかげで、いかにしてディレイラ支持部材１１を座席チューブ２００に対して直接当接させることができ、したがって、関節型四辺形部材の変形によって生じる力の一部を直接座席チューブ２００に伝えて、支持具３００の過剰な応力を防止できるかを、確認および理解することができるであろう。
【００６３】
当然ながら、起こり得る特定の動作要件を満足するため、当業者であれば、前記本発明の実施の形態に対して変更および変形を加えることができ、それらの変更および変形は、いかなる場合においても特許請求の範囲によって定められる保護の範囲内に包含される。
【図面の簡単な説明】
【００６４】
【図１】（Ａ）は、第１の形式のろう付け金具に取り付けられた従来技術のディレイラの正面概略図である。（Ｂ）は、対応する座席チューブに組み合わされた図１（Ａ）のろう付け金具のみを示した上方からの概略図である。
【図２】（Ａ）は、図１（Ａ）および（Ｂ）のそれらと異なる形状および寸法を有する第２の形式のろう付け金具および座席チューブに取り付けられた従来技術のディレイラの正面概略図である。（Ｂ）は、対応する座席チューブに組み合わされた図２（Ａ）のろう付け金具のみを示した上方からの概略図である。
【図３】本発明によるディレイラ取り付け装置の第１の実施の形態について、部品を一部取り除いて示した分解斜視概略図である。
【図４】図３の装置を組み立てた構成について、部品を一部取り除いて示した斜視概略図である。
【図５】図３の取り付け装置によって第１の形式のろう付け金具に組み合わされたディレイラの正面概略図である。
【図６】図５に示した形式のろう付け金具に組み合わされた図３の取り付け装置を示した上方からの概略図である。
【図７】図３の取り付け装置によって第２の形式のろう付け金具に組み合わされた図５のディレイラの正面概略図である。
【図８】図７に示した形式のろう付け金具に組み合わされた図３の取り付け装置を示した上方からの概略図である。
【図９】本発明によるディレイラ取り付け装置の第２の実施の形態の分解斜視概略図である。
【図１０】本発明によるディレイラ取り付け装置の第３の実施の形態について、部品を一部取り除いて示した分解斜視概略図である。
【符号の説明】
【００６５】
１０      取り付け装置  
１００    ディレイラ
２００    座席チューブ
【図１】
2005247302.tif 000003
【図２】
2005247302.tif 000004
【図３】
2005247302.tif 000005
【図４】
2005247302.tif 000006
【図５】
2005247302.tif 000007
【図６】
2005247302.tif 000008
【図７】
2005247302.tif 000009
【図８】
2005247302.tif 000010
【図９】
2005247302.tif 000011
【図１０】
2005247302.tif 000012